(57)【要約】【課題】  １台の装置で複数のマルチメディア録画再生機能を有し、利用者のマルチメディアの録画再生の要望に対処できる多機能統合化マルチメディア再生装置を提供する。【解決手段】  本発明は、少なくともデジタル写真ブラウザ機能、映像再生機能、音声信号再生機能、画像／音声信号録画機能、ナビゲーション機能、テレビ受信機能を備え、デジタル写真の閲覧、画像音声番組の再生、音楽や音声番組の再生、画像／音声信号の録画、地理情報の取得、有線／無線テレビの受信用として使用者に様々なマルチメディア機能を提供する。更に各種の外部メディア処理装置に外付け用の接続インタフェースに、例えばCD／DVD−RW装置、遠距離通信装置、プリンター、蓄積装置、デジタルカメラ、ナビゲーションシステム、テレビチューナー、パソコンプラットフォーム等を接続して更に機能の拡大を図る。【選択図】図１
2005354509.tif 000002
【特許請求の範囲】
【請求項１】
多機能統合化マルチメディア再生装置において、少なくとも、
デジタル写真のブラウザ機能を有するデジタル写真表示モジュールと、
画像音声の再生機能を有する映像再生モジュールと、
音声信号の再生機能を有する音声信号再生モジュールと、
画像／音声信号の録画機能を有する画像／音声信号録画モジュールと、
ナビゲーション機能を有するナビゲーションモジュールと、
テレビ受信機能を有するテレビ受信モジュールと、
前記デジタル写真表示モジュール、映像再生モジュール、音声信号再生モジュール、画像／音声信号録画モジュール、ナビゲーションモジュール、テレビ受信モジュールを制御することによって、必要とするデジタル写真のブラウザ機能、画像音声の再生機能、音声信号の再生機能、画像／音声信号の録画機能、ナビゲーション機能、またはテレビ受信機能を実施するためのメイン制御ユニットと、
前記デジタル写真表示モジュールによって処理されたデジタル写真ファイル、前記映像再生モジュールによって処理されたデジタル画像音声ファイル、前記音声信号再生モジュールによって処理されたデジタル音声信号ファイル、及び前記画像／音声信号録画モジュールによって録画されたデジタル画像／音声信号ファイルを蓄積するための内部蓄積モジュールと、
前記デジタル写真表示モジュール、映像再生モジュール、ナビゲーションモジュール、テレビ受信モジュールによって処理されたデジタル写真またはデジタル画像信号映像を表示させるための表示モジュールと、
前記映像再生モジュール、音声信号再生モジュール、テレビ受信モジュールによって処理された音声信号を出力するための音声信号出力モジュールと、
内側へ前記ナビゲーションモジュール及び前記テレビ受信モジュールにカップリングされ、前記ナビゲーションモジュールを無線方式によって全地球測位システム（GPS）に接続し、または前記テレビ受信モジュールに無線方式によって無線テレビ局からの無線テレビ番組信号を受信させるための無線インタフェースと、
外部の画像／音声信号生成装置または外部の表示装置に接続されることによって、前記外部の画像／音声信号生成装置より画像／音声信号の入力を行い、または画像／音声信号を前記外部の表示装置に出力するための画像／音声信号出入力インタフェースと、
前記メイン制御ユニットに制御され、外側へ1つまたは複数の外部のマルチメディア処理装置に接続されることによって、多機能統合化マルチメディア再生装置のマルチメディア処理機能を拡大するためのデータ通信インタフェースと、
前記データ通信インタフェースにカップリングされ、伝送しようとするデータを特定の遠距離通信データフォーマットに変換させることによって、前記データ通信インタフェースに接続された遠距離通信装置を介して遠隔の情報プラットフォームに伝送し、かつ、遠距離通信装置から伝送されてくるデータを、多機能統合化マルチメディア再生装置における所定のデータフォーマットに変換させるためのデータ変換モジュールと、
を備えることを特徴とする多機能統合化マルチメディア再生装置。
【請求項２】
さらに、前記メイン制御ユニットに制御され、外部のデータ蓄積装置に接続されるための外部蓄積インタフェースを備えることを特徴とする請求項１に記載の多機能統合化マルチメディア再生装置。
【請求項３】
さらに、内側へはメイン制御ユニットにカップリングされ、外側へは無線方式によって外部のリモコンに接続されることによって、使用者が前記リモコンを介して多機能統合化マルチメディア再生装置の各種操作機能を実施することができるようにするリモコンインタフェースを備えることを特徴とする請求項１に記載の多機能統合化マルチメディア再生装置。
【請求項４】
前記映像再生モジュールはMPEGと互換性のある映像再生モジュールであることを特徴とする請求項１に記載の多機能統合化マルチメディア再生装置。
【請求項５】
前記音声信号再生モジュールはMP3と互換性のある音声信号再生モジュールであることを特徴とする請求項１記載の多機能統合化マルチメディア再生装置。
【請求項６】
前記表示モジュールはカラーの薄膜トランジスタ式液晶表示モジュールであることを特徴とする請求項１に記載の多機能統合化マルチメディア再生装置。
【請求項７】
前記画像／音声信号出入力インタフェースはPAL／NTSCと互換性のある画像／音声信号出入力インタフェースであることを特徴とする請求項１に記載の多機能統合化マルチメディア再生装置。
【請求項８】
前記データ通信インタフェースはUSB式データ通信インタフェースであることを特徴とする請求項１に記載の多機能統合化マルチメディア再生装置。
【請求項９】
前記外部蓄積インタフェースはフォーインワン(4-in-1)フラッシュメモリモジュール接合器を備えることを特徴とする請求項１に記載の多機能統合化マルチメディア再生装置。
【請求項１０】
前記リモコンインタフェースは赤外線式リモコンインタフェースであることを特徴とする請求項１に記載の多機能統合化マルチメディア再生装置。
【請求項１１】
前記遠距離通信のデータフォーマットはWAP式携帯電話通信のXMLデータフォーマットであることを特徴とする請求項１記載の多機能統合化マルチメディア再生装置。
【請求項１２】
多機能統合化マルチメディア再生装置において、少なくとも、
デジタル写真のブラウザ機能を有するデジタル写真表示モジュールと、
画像音声の再生機能を有する、MPEGと互換性のある映像再生モジュールと、
音声信号の再生機能を有する、MP3と互換性のある音声信号再生モジュールと、
画像／音声信号の録画機能を有する画像／音声信号録画モジュールと、
ナビゲーション機能を有するナビゲーションモジュールと、
テレビ受信機能を有するテレビ受信モジュールと、
前記デジタル写真表示モジュール、映像再生モジュール、音声信号再生モジュール、画像／音声信号録画モジュール、ナビゲーションモジュール、テレビ受信モジュールを制御することによって、必要とするデジタル写真のブラウザ機能、画像音声の再生機能、音声信号の再生機能、画像／音声信号の録画機能、ナビゲーション機能、またはテレビ受信機能を実施するためのメイン制御ユニットと、
前記デジタル写真表示モジュールによって処理されたデジタル写真ファイル、前記映像再生モジュールによって処理されたデジタル画像音声ファイル、前記音声信号再生モジュールによって処理されたデジタル音声信号ファイル、及び前記画像／音声信号録画モジュールによって録画されたデジタル画像／音声信号ファイルを蓄積するための内部蓄積モジュールと、
前記デジタル写真表示モジュール、映像再生モジュール、ナビゲーションモジュール、テレビ受信モジュールによって処理されたデジタル写真またはデジタル画像信号映像を表示させるための表示モジュールと、
前記映像再生モジュール、音声信号再生モジュール、テレビ受信モジュールによって処理された音声信号を出力するための音声信号出力モジュールと、
内側へ前記ナビゲーションモジュール及び前記テレビ受信モジュールにカップリングされ、前記ナビゲーションモジュールを無線方式によって全地球測位システム（GPS）に接続し、または前記テレビ受信モジュールに無線方式によって無線テレビ局からの無線テレビ番組信号を受信させるための無線インタフェースと、
外部の画像／音声信号生成装置または外部の表示装置に接続されることによって、前記外部の画像／音声信号生成装置より画像／音声信号の入力を行い、または画像／音声信号を前記外部の表示装置に出力するための画像／音声信号出入力インタフェースと、
前記メイン制御ユニットに制御され、外側へ1つまたは複数の外部のマルチメディア処理装置に接続されることによって、多機能統合化マルチメディア再生装置のマルチメディア処理機能を拡大するためのUSBデータ通信インタフェースと、
前記メイン制御ユニットに制御され、外部のデータ蓄積装置に接続されるための外部蓄積インタフェースと、
前記データ通信インタフェースにカップリングされ、伝送しようとするデータを特定の遠距離通信データフォーマットに変換させることによって、前記データ通信インタフェースに接続された遠距離通信装置を介して遠隔の情報プラットフォームに伝送し、かつ、遠距離通信装置から伝送されてくるデータを、多機能統合化マルチメディア再生装置における所定のデータフォーマットに変換させるためのデータ変換モジュールと、
内側へはメイン制御ユニットにカップリングされ、外側へは無線方式によって外部のリモコンに接続されることにより、使用者が前記リモコンを介して多機能統合化マルチメディア再生装置の各種操作機能を実施することができるようにするリモコンインタフェースと、
を備えることを特徴とする多機能統合化マルチメディア再生装置。
【請求項１３】
前記表示モジュールはカラーの薄膜トランジスタ式液晶表示モジュールであることを特徴とする請求項１２に記載の多機能統合化マルチメディア再生装置。
【請求項１４】
前記画像／音声信号出入力インタフェースはPAL／NTSCと互換性のある画像／音声信号出入力インタフェースであることを特徴とする請求項１２に記載の多機能統合化マルチメディア再生装置。
【請求項１５】
前記外部蓄積インタフェースはフォーインワン(4-in-1)フラッシュメモリモジュール接合器を備えることを特徴とする請求項１２に記載の多機能統合化マルチメディア再生装置。
【請求項１６】
前記リモコンインタフェースは赤外線式リモコンインタフェースであることを特徴とする請求項１２に記載の多機能統合化マルチメディア再生装置。
【請求項１７】
前記遠距離通信のデータフォーマットはWAP式携帯電話通信のXMLデータフォーマットであることを特徴とする請求項１２に記載の多機能統合化マルチメディア再生装置。
【発明の詳細な説明】
【技術分野】
【０００１】
本発明はマルチメディア技術に関し、特に、多機能統合化マルチメディア再生装置に関するものであって、少なくともデジタル写真ブラウザ機能、映像再生機能、音声信号再生機能、画像／音声信号録画機能、ナビゲーション機能、テレビ受信機能を備え、デジタル写真のブラウザ、画像音声番組の再生、音楽や音声番組の再生、画像／音声信号の録画、地理情報の取得、有線／無線テレビの受信用として使用者に様々なマルチメディア機能が提供され、さらに、各種の外部メディア処理装置に外付けされるための接続インタフェース例えばCD／DVD−RW装置、携帯電話、プリンター、蓄積装置、デジタルカメラ、ナビゲーションシステム、テレビチューナー、パソコンプラットフォーム等が提供され、本発明に係る多機能統合化マルチメディア再生装置のメディア処理機能の更なる広がりを図る。
【背景技術】
【０００２】
現在、消費生活用電子製品の市場において、各種の異なるメディア録再生装置、例えばデジタル写真ブラウザ装置、MP3音声信号再生装置、VCD／DVD映像再生装置、デジタルビデオカメラ等が出回っており、デジタル写真の閲覧、音楽の鑑賞、画像音声番組の観賞、画像音声番組の録画用として使用者に提供されている。
【発明の開示】
【発明が解決しようとする課題】
【０００３】
しかしながら、上記の各種のメディア録画再生装置は、一台の装置につき、１種のメディア録画再生機能のみしか提供できないのが欠点である。即ち、デジタル写真ブラウザ装置がデジタル写真の閲覧に、MP3音声信号再生装置が音楽の再生に、VCD／DVD映像再生装置が画像音声番組の再生に、デジタルビデオカメラが画像音声番組の録画にのみ利用できるため、消費者のマルチメディアの録画再生に対する需要を必ずしも満足させられない。また、消費者が上記のあらゆるメディア録画再生機能を必要とする場合、それぞれの装置を購入する必要があり、経済的ではない。
【０００４】
上記の課題に鑑みて、本発明は、同一の装置において、複数のマルチメディア録画再生機能を有し、少なくともデジタル写真ブラウザ機能、映像再生機能、音声信号再生機能、画像／音声信号録画機能、ナビゲーション機能、テレビ受信機能を備え、消費者のマルチメディアの録画再生に対する需要を満足させられる、多機能統合化マルチメディア再生装置を提供することを目的とする。
【０００５】
また、本発明は各種の外部メディア処理装置に外付けするための多機能統合化マルチメディア再生装置を使用者に提供することを目的とし、これによって本発明に係る多機能統合化マルチメディア再生装置のメディア処理機能の更なる拡大を図る。
【課題を解決するための手段】
【０００６】
本発明の多機能統合化マルチメディア再生装置は、少なくとも、
デジタル写真のブラウザ機能を有するデジタル写真表示モジュールと、
画像音声の再生機能を有する映像再生モジュールと、
音声信号の再生機能を有する音声信号再生モジュールと、
画像／音声信号の録画機能を有する画像／音声信号録画モジュールと、
ナビゲーション機能を有するナビゲーションモジュールと、
テレビ受信機能を有するテレビ受信モジュールと、
前記デジタル写真表示モジュール、映像再生モジュール、音声信号再生モジュール、画像／音声信号録画モジュール、ナビゲーションモジュール、テレビ受信モジュールを制御することによって、必要とするデジタル写真のブラウザ機能、画像音声の再生機能、音声信号の再生機能、画像／音声信号の録画機能、ナビゲーション機能、またはテレビ受信機能を実施するためのメイン制御ユニットと、
前記デジタル写真表示モジュールによって処理されたデジタル写真ファイル、前記映像再生モジュールによって処理されたデジタル画像音声ファイル、前記音声信号再生モジュールによって処理されたデジタル音声信号ファイル、及び前記画像／音声信号録画モジュールによって録画されたデジタル画像／音声信号ファイルを蓄積するための内部蓄積モジュールと、
前記デジタル写真表示モジュール、映像再生モジュール、ナビゲーションモジュール、テレビ受信モジュールによって処理されたデジタル写真またはデジタル画像信号映像を表示させるための表示モジュールと、
前記映像再生モジュール、音声信号再生モジュール、テレビ受信モジュールによって処理された音声信号を出力するための音声信号出力モジュールと、
内側へ前記ナビゲーションモジュール及び前記テレビ受信モジュールにカップリングされ、前記ナビゲーションモジュールを無線方式によって全地球測位システム（GPS）に接続し、または前記テレビ受信モジュールに無線方式によって無線テレビ局からの無線テレビ番組信号を受信させるための無線インタフェースと、
外部の画像／音声信号生成装置または外部の表示装置に接続されることによって、前記外部の画像／音声信号生成装置より画像／音声信号の入力を行い、または画像／音声信号を前記外部の表示装置に出力するための画像／音声信号出入力インタフェースと、
前記メイン制御ユニットに制御され、外側へ1つまたは複数の外部のマルチメディア処理装置に接続されることによって、多機能統合化マルチメディア再生装置のマルチメディア処理機能を拡大するためのデータ通信インタフェースと、
前記データ通信インタフェースにカップリングされ、伝送しようとするデータを特定の遠距離通信データフォーマットに変換させることによって、前記データ通信インタフェースに接続された遠距離通信装置を介して遠隔の情報プラットフォームに伝送し、かつ、遠距離通信装置から伝送されてくるデータを、多機能統合化マルチメディア再生装置における所定のデータフォーマットに変換させるためのデータ変換モジュールとを備える。
【０００７】
本発明の多機能統合化マルチメディア再生装置は、少なくとも、
デジタル写真のブラウザ機能を有するデジタル写真表示モジュールと、
画像音声の再生機能を有する、MPEGと互換性のある映像再生モジュールと、
音声信号の再生機能を有する、MP3と互換性のある音声信号再生モジュールと、
画像／音声信号の録画機能を有する画像／音声信号録画モジュールと、
ナビゲーション機能を有するナビゲーションモジュールと、
テレビ受信機能を有するテレビ受信モジュールと、
前記デジタル写真表示モジュール、映像再生モジュール、音声信号再生モジュール、画像／音声信号録画モジュール、ナビゲーションモジュール、テレビ受信モジュールを制御することによって、必要とするデジタル写真のブラウザ機能、画像音声の再生機能、音声信号の再生機能、画像／音声信号の録画機能、ナビゲーション機能、またはテレビ受信機能を実施するためのメイン制御ユニットと、
前記デジタル写真表示モジュールによって処理されたデジタル写真ファイル、前記映像再生モジュールによって処理されたデジタル画像音声ファイル、前記音声信号再生モジュールによって処理されたデジタル音声信号ファイル、及び前記画像／音声信号録画モジュールによって録画されたデジタル画像／音声信号ファイルを蓄積するための内部蓄積モジュールと、
前記デジタル写真表示モジュール、映像再生モジュール、ナビゲーションモジュール、テレビ受信モジュールによって処理されたデジタル写真またはデジタル画像信号映像を表示させるための表示モジュールと、
前記映像再生モジュール、音声信号再生モジュール、テレビ受信モジュールによって処理された音声信号を出力するための音声信号出力モジュールと、
内側へ前記ナビゲーションモジュール及び前記テレビ受信モジュールにカップリングされ、前記ナビゲーションモジュールを無線方式によって全地球測位システム（GPS）に接続し、または前記テレビ受信モジュールに無線方式によって無線テレビ局からの無線テレビ番組信号を受信させるための無線インタフェースと、
外部の画像／音声信号生成装置または外部の表示装置に接続されることによって、前記外部の画像／音声信号生成装置より画像／音声信号の入力を行い、または画像／音声信号を前記外部の表示装置に出力するための画像／音声信号出入力インタフェースと、
前記メイン制御ユニットに制御され、外側へ1つまたは複数の外部のマルチメディア処理装置に接続されることによって、多機能統合化マルチメディア再生装置のマルチメディア処理機能を拡大するためのUSBデータ通信インタフェースと、
前記メイン制御ユニットに制御され、外部のデータ蓄積装置に接続されるための外部蓄積インタフェースと、
前記データ通信インタフェースにカップリングされ、伝送しようとするデータを特定の遠距離通信データフォーマットに変換させることによって、前記データ通信インタフェースに接続された遠距離通信装置を介して遠隔の情報プラットフォームに伝送し、かつ、遠距離通信装置から伝送されてくるデータを、多機能統合化マルチメディア再生装置における所定のデータフォーマットに変換させるためのデータ変換モジュールと、
内側へはメイン制御ユニットにカップリングされ、外側へは無線方式によって外部のリモコンに接続されることにより、使用者が前記リモコンを介して多機能統合化マルチメディア再生装置の各種操作機能を実施することができるようにするリモコンインタフェースとを備える。
【発明の効果】
【０００８】
上記のように構成することで本発明に係る多機能統合化マルチメディア再生装置は、複数のマルチメディア機能、デジタル写真ブラウザ機能、映像再生機能、音声信号再生機能、画像／音声信号録画機能、ナビゲーション機能、テレビ受信機能を、同一の機体に統合化させ、使用者が単一の機体を購入や使用するだけで、デジタル写真の閲覧、画像音声番組の再生、音楽や音声番組の再生、画像／音声信号の録画、地理情報の取得、有線／無線テレビの受信を行うことができるようにする。
【０００９】
本発明に係る多機能統合化マルチメディア再生装置は、さらに各種の外部メディア処理装置を外付けするための接続インタフェースに、例えばCD／DVD−RW装置、遠距離通信装置、プリンター、蓄積装置、デジタルカメラ、ナビゲーションシステム、テレビチューナー、パソコンプラットフォーム等が接続されることにより、本発明に係る多機能統合化マルチメディア再生装置のメディア処理機能の更なる拡大を図る。
【発明を実施するための最良の形態】
【００１０】
以下に、図１、図２に沿って本発明に係る多機能統合化マルチメディア再生装置の実施例を詳しく説明する。図１は、本発明に係る多機能統合化マルチメディア再生装置（例えば符号100で示す点線フレームに囲まれた部分）の内部基本構造を示す。図２は本発明に係る多機能統合化マルチメディア再生装置100の外付け応用構造を示す。本発明に係る多機能統合化マルチメディア再生装置100はデジタル写真の閲覧、画像音声番組の再生、音楽や音声番組の再生、画像／音声信号の録画、地理情報の取得、有線／無線テレビの受信用として使用者に様々なマルチメディア機能が提供されている。
【００１１】
図１に示すように、本発明に係る多機能統合化マルチメディア再生装置100は、少なくともデジタル写真表示モジュール110、映像再生モジュール120、音声信号再生モジュール130、画像／音声信号録画モジュール140、ナビゲーションモジュール150、テレビ受信モジュール160、データ変換モジュール170、メイン制御ユニット210、表示モジュール220、音声出力モジュール230、内部蓄積モジュール240、無線インタフェース310、画像音声出力インタフェース320、及びデータ通信インタフェース330を備え、さらに外部蓄積インタフェース340、リモコンインタフェース350を選択的に備えても良い。
【００１２】
デジタル写真表示モジュール110は、メイン制御ユニット210に制御され、デジタル写真表示モジュール110を介して内部蓄積モジュール240に予め蓄積されたデジタル写真例えばJPEGフォーマットであるデジタル写真を表示させ、これによって、使用者が本発明に係る多機能統合化マルチメディア再生装置100を利用してデジタル写真を閲覧することができる。
【００１３】
映像再生モジュール120は、例えばMPEGと互換性のある映像再生モジュールであって、メイン制御ユニット210に制御され、表示モジュール220を介して内部蓄積モジュール240に予め蓄積された各種の画像音声番組のデジタル画像信号ファイル、例えばMPEGフォーマットであるデジタル画像信号ファイルを表示させ、これによって、使用者が本発明に係る多機能統合化マルチメディア再生装置100を利用して画像音声番組を観賞することができる。
【００１４】
音声信号再生モジュール130は、例えばMP3と互換性のある音声信号再生モジュールであって、メイン制御ユニット210に制御され、音声出力モジュール230を介して内部蓄積モジュール240に予め蓄積された各種の音楽または音声であるデジタル音声信号ファイル、例えばMP3フォーマットであるデジタル音声信号ファイルを再生させ、これによって、使用者が本発明に係る多機能統合化マルチメディア再生装置100を利用して音楽または音声番組を聞き取ることができる。
【００１５】
画像／音声信号録画モジュール140はメイン制御ユニット210に制御され、画像音声出力インタフェース320を介して外部の画像／音声信号生成装置21（図２に示す）、例えばVCD／DVD再生装置、テレビ、ビデオカメラ等に接続され、該画像／音声信号生成装置21から生成された画像／音声信号を受信・録画し、録画された画像／音声信号データを内部蓄積モジュール240に蓄積させる。この後、使用者は映像再生モジュール120を利用してこれらの予め録画された画像／音声信号を表示モジュール220に再生させることができる。
【００１６】
ナビゲーションモジュール150はナビゲーション機能が提供され、使用者が現在の地理位置を取得することができる。この操作モードにおいて、ナビゲーションモジュール150はメイン制御ユニット210に制御され、無線インタフェース310を介して無線方式によって地理情報システム例えばGPS（Global Positioning System）の衛星11(図２に示す)に接続され、接続されたGPS衛星11によって使用者の現在の地理位置情報を通知することができる。そして、このGPS衛星11からの地理位置情報が無線インタフェース310に受信され、ナビゲーションモジュール150に伝送され、そして、ナビゲーションモジュール150は受信された地理位置情報における地図や関連データを表示モジュール220に表示させ、使用者がこれによって該地理位置情報を閲覧し、現在の地理位置情報を知ることができる。
【００１７】
テレビ受信モジュール160はメイン制御ユニット210に制御され、無線インタフェース310を介して無線方式によって遠隔の無線テレビ局12からの無線テレビ番組信号を受信し、または画像音声出力インタフェース320を介して有線方式によって有線テレビ局（図示せず）からの有線テレビ番組信号を受信し、受信されたテレビ番組信号を表示モジュール220に表示させることで、使用者が本発明に係る多機能統合化マルチメディア再生装置100を利用して有線または無線テレビ番組を観賞することができる。
【００１８】
データ変換モジュール170はメイン制御ユニット210に制御され、伝送すべきファイルデータフォーマット、例えばJPEG、MP3、またはMPEGデータフォーマットを、所定の遠距離通信データフォーマット、例えばWAP（Wireless Application Protocol）携帯電話通信に採用されたXML（Extensible Markup Language）データフォーマットに変換することによって、該データ通信インタフェース330に接続された遠距離通信装置33（例えば携帯電話）を介して遠隔の装置（図示せず）に伝送し、該遠距離通信装置33に受信されまたは伝送されてくるデータを本発明に係る多機能統合化マルチメディア再生装置100における所定のデータフォーマット（即ちJPEG、MP3、またはMPEG）に変換する。
【００１９】
メイン制御ユニット210は上記のデジタル写真表示モジュール110、映像再生モジュール120、音声信号再生モジュール130、画像／音声信号録画モジュール140、ナビゲーションモジュール150、テレビ受信モジュール160を制御することによって、必要とするデジタル写真ブラウザ機能、映像再生機能、音声信号再生機能、画像／音声信号録画機能、ナビゲーション機能、テレビ受信機能を実施し、かつこれらの機能モジュール110、120、130、140、150、160と表示モジュール220、音声出力モジュール230、内部蓄積モジュール240、及び各種のインタフェース310、320、330、340、350の間のデータ変換を制御する。
表示モジュール220は、例えばカラーの薄膜トランジスタ式液晶表示モジュール（Thin FILM Transistor Liquid Crystal Display, TFT LCD）であって、デジタル写真表示モジュール110、映像再生モジュール120、ナビゲーションモジュール150、テレビ受信モジュール160によって処理されたデジタル写真またはデジタル画像信号を表示することができる。
【００２０】
音声出力モジュール230は内蔵のスピーカ機能を備え、さらに外付けのスピーカ機能を備えても良い。内蔵のスピーカ機能は直接該音声出力モジュール230によって受信された電子音声信号を自然音声に変換させ周囲の環境に再生させ、外付けのスピーカ機能は使用者が外付けヘッドフォンまたは大型スピーカ（図示せず）を介して音声出力モジュール230から出力された音声信号を聞き取ることができる。
【００２１】
内部蓄積モジュール240はハードディスクモジュールまたはフラッシュメモリモジュールを備え、本発明に係る多機能統合化マルチメディア再生装置100の操作システム及び各種のマルチメディアファイルデータ、例えばJPEGデジタル写真である画像ファイル、MPEGデジタル画像信号ファイル、MP3デジタル音声信号ファイル等を蓄積することができる。
【００２２】
また、更にマルチメディア処理機能を拡大するために、本発明に係る多機能統合化マルチメディア再生装置100は、さらに各種の外付けインタフェース、例えば無線インタフェース310、画像音声出力インタフェース320、データ通信インタフェース330、外部蓄積インタフェース340を備える。
【００２３】
無線インタフェース310はメイン制御ユニット210の制御を介してナビゲーションモジュール150またはテレビ受信モジュール160にカップリングされ、ナビゲーションモジュール150を無線方式によってGPS衛星11に接続させ、またはテレビ受信モジュール160に無線方式によって遠隔の無線テレビ局12からの無線テレビ番組信号を受信させる。
【００２４】
画像／音声出力インタフェース320は、例えばPAL／NTSCと互換性のある画像音声入出力インタフェースであって、外部の画像／音声信号生成装置21（例えばVCD／DVD再生装置、テレビ、ビデオカメラ）または外部の表示装置22(例えばテレビ、大型表示スクリーン、または投影機)に接続され、外部の画像／音声信号生成装置21によって画像／音声信号、または出力画像／音声信号を外部の表示装置22に入力することができる。
【００２５】
データ通信インタフェース330は例えばUSB（Universal Serial Bus）式のデータ通信インタフェースであって、1つまたは複数の外部のマルチメディア処理装置、例えばCD／DVD-RW装置31、CCD（Charge Coupled Device）装置32、遠距離通信装置33（例えば携帯電話）、プリンター34、蓄積装置35、デジタルカメラ36、ナビゲーションシステム37、テレビチューナー38、パソコンプラットフォーム39等に外付けられることによって、本発明に係る多機能統合化マルチメディア再生装置100のマルチメディア処理機能をより拡大することができる。
【００２６】
外部蓄積インタフェース340はフラッシュメモリモジュール接合インタフェース、例えばフォーインワン(4-in-1)フラッシュメモリモジュール接合器であって、各種の異なるフラッシュメモリ装置、例えばSD（Secure Digital）、MS（Memory Stick）、MMC（Multimedia Card）、及びSM（Smart Media（登録商標））に接合されることによって、各種のマルチメディアファイルデータを本発明に係る多機能統合化マルチメディア再生装置100に出入力する。
【００２７】
リモコンインタフェース350は赤外線式（Infrared、IR）であるリモコンインタフェースであって、内側に向かってメイン制御ユニット210にカップリングされることによって、使用者が赤外線リモコン50を利用して本発明に係る多機能統合化マルチメディア再生装置100の各種操作機能の遠隔リモコンを実施することができる。
【００２８】
実際の応用において、本発明に係る多機能統合化マルチメディア再生装置100は、デジタル写真ブラウザ機能、映像再生機能、音声信号再生機能、画像／音声信号録画機能、ナビゲーション機能、テレビ受信機能を含む、様々なマルチメディア機能を備え、使用者がデジタル写真の閲覧、画像音声番組の再生、音楽や音声番組の再生、画像／音声信号の録画、地理情報の取得、有線／無線テレビの受信を実施することができるようにする。
【００２９】
デジタル写真ブラウザ機能の操作モードにおいて、使用者は予め複数のデジタル写真を内部蓄積モジュール240に蓄積させ、即ちUSBインタフェース330を介してCD／DVD-RW装置31、CCD装置32、遠距離通信装置33、蓄積装置35、デジタルカメラ36、パソコンプラットフォーム39から、デジタル写真を内部蓄積モジュール240にダウンロードさせ、または外部蓄積インタフェース340を介して外付けのメモリモジュール40からデジタル写真を内部蓄積モジュール240にダウンロードさせる。この後、使用者はデジタル写真表示モジュール110によって内部蓄積モジュール240に予め蓄積されたデジタル写真を、表示モジュール220に表示させ、または画像音声出力インタフェース320を介して外部の表示装置22、例えばテレビ、大型表示スクリーン、投影機に表示させることができる。
【００３０】
画像信号再生機能の操作モードにおいて、使用者は予め複数のMPEG画像信号ファイルを内部蓄積モジュール240に蓄積させ、即ちUSBインタフェース330を介して外付けのCD／DVD-RW装置31、遠距離通信装置33、蓄積装置35、パソコンプラットフォーム39から、MPEG画像信号ファイルを内部蓄積モジュール240にダウンロードさせ、または画像音声出力インタフェース320を介して外付けの画像／音声信号生成装置21からMPEG画像信号ファイルを内部蓄積モジュール240にダウンロードさせる。この後、使用者は映像再生モジュール120によって内部蓄積モジュール240に予め蓄積された画像信号ファイルを、表示モジュール220に表示させ、または画像音声出力インタフェース320を介して外部の表示装置22、例えばテレビ、大型表示スクリーン、投影機に表示させることができる。
【００３１】
音声信号再生機能の操作モードにおいて、使用者は予め複数のMP3音声信号ファイルを内部蓄積モジュール240に蓄積させ、即ちUSBインタフェース330を介して外付けのCD／DVD-RW装置31、遠距離通信装置33、蓄積装置35、パソコンプラットフォーム39から、MP3音声信号ファイルを内部蓄積モジュール240にダウンロードさせる。この後、使用者は音声信号再生モジュール130によって内部蓄積モジュール240に予め蓄積されたMP3音声信号ファイルを、音声出力モジュール230を通して自然音声に変換することにより、再生された音楽や音声番組を聞き取ることができる。
【００３２】
画像／音声信号録画機能の操作モードにおいて、使用者は本発明に係る多機能統合化マルチメディア再生装置100を、画像音声出入力インタフェース320を介して外部の画像／音声信号生成装置21、例えばVCD／DVD再生装置、テレビ、ビデオカメラ等に接続し、そして画像／音声信号録画モジュール140をスタートさせ、該画像／音声信号生成装置21からの画像／音声信号を録画し、録画された画像／音声信号をデジタル形式によって内部蓄積モジュール240に蓄積させる。この後、使用者は映像再生モジュール120によってこれらの予め録画された画像／音声信号番組を再生することができる。
【００３３】
ナビゲーション機能の操作モードにおいて、ナビゲーションモジュール150は無線インタフェース310を介して無線方式によって地理情報システム、例えばGPS衛星11に接続され、接続されたGPS衛星11によって使用者の現在の地理位置情報を告知することができる。このGPS衛星11からの地理位置情報が無線インタフェース310に受信され、ナビゲーションモジュール150に伝送され、そして、ナビゲーションモジュール150が受信された地理位置情報における地図や関連データを表示モジュール220に表示させることで、使用者がこれによって該地理位置情報を閲覧し、現在の地理位置情報を知ることができる。
【００３４】
テレビ受信機能の操作モードにおいて、テレビ受信モジュール160は無線インタフェース310を介して無線方式によって遠隔の無線テレビ局12からの無線テレビ番組信号を受信し、または画像音声出入力インタフェース320を介して有線方式によって有線テレビ局からの有線テレビ番組信号を受信し、受信されたテレビ番組信号を表示モジュール220に表示することで、使用者が本発明に係る多機能統合化マルチメディア再生装置100によって有線または無線テレビ番組を観賞することができる。
【００３５】
また、使用者は本発明に係る多機能統合化マルチメディア再生装置100によって処理された各種のマルチメディアファイル、例えばJPEGデジタル写真ファイルを、USBインタフェース330によって接続された遠距離通信装置33（例えば携帯電話）を介して、遠隔の情報プラットフォーム（図示せず）例えばインターネットフォン（Voice Over Internet Protocol、VOIP）に伝送する。この操作モードにおいて、使用者が伝送しようとするファイルデータフォーマットは、まずデータ変換モジュール170によって特定の遠距離通信データフォーマット、例えばWAP（Wireless Application Protocol）携帯電話通信に採用されたXML（Extensible Markup Language）データフォーマットに変換されることにより、該USBインタフェース330に接続された遠距離通信装置33、例えば携帯電話を介して遠隔の情報プラットフォーム（図示せず）に伝送し、かつ、遠隔の無線ネットワークサーバ（図示せず）が該遠距離通信装置33を介して伝送されてくるデジタルデータを、本発明に係る多機能統合化マルチメディア再生装置100における所定のデータフォーマット（即ちJPEG、MP3、またはMPEG）に変換する。
【００３６】
さらに、図２に示すように、本発明に係る多機能統合化マルチメディア再生装置100におけるUSBインタフェース330によって、使用者は、本発明を各種のマルチメディア処理装置、例えばCD／DVD-RW装置31、CCD装置32、遠距離通信装置33、プリンター34、蓄積装置35、デジタルカメラ36、ナビゲーションシステム37、テレビチューナー38、パソコンプラットフォーム39等に外付けることができ、これによって本発明に係る多機能統合化マルチメディア再生装置100のマルチメディア処理機能をより拡大することができる。例えば、使用者は外付けのCD／DVD-RW装置31によってファイルを読み取りまたは書き込みすることができる。外付けのCCD装置32によって本発明に係る多機能統合化マルチメディア再生装置100を、ブラウザ及び蓄積機能を有するデジタルカメラに変換させることができる。外付けの遠距離通信装置33を利用してデジタル写真、画像信号ファイル、音声信号ファイルを、遠隔である親友の携帯電話やPDA（個人用携帯情報端末）に伝送することができる。外付けのプリンター34を利用してデジタル写真をプリントすることができる。また、その他の外付け装置を利用しても良い。
【００３７】
また、本発明に係る多機能統合化マルチメディア再生装置100は、使用者が赤外線リモコン50によって前記各種の操作機能をリモートコントロールすることができる。該赤外線リモコン50からの赤外線リモコン信号がリモコンインタフェース350によって受信され、そして、復調されたあと、メイン制御ユニット210に伝送され、メイン制御ユニット210が必要とする操作機能を制御や実施する。
【００３８】
上記の実施の形態は本発明を例示する目的で示すものであり、本発明は、それらの実施例によって何ら限定されるものではない。本発明に係る実質的な技術内容は、下記の特許請求の範囲に定義される。本発明はこの技術分野に精通したものが特許請求の範囲を脱しない範囲で色々な修飾や変更が可能であり、そうした修飾や変更は本発明の技術範囲に入るものである。
【図面の簡単な説明】
【００３９】
【図１】システムの構造であって、本発明に係る多機能統合化マルチメディア再生装置の内部の基本構造を模式的に示す。
【図２】応用の構造であって、本発明に係る多機能統合化マルチメディア再生装置の外付け応用構造を模式的に示す。
【符号の説明】
【００４０】
11  GPS衛星
12  無線テレビ局
21  画像／音声信号生成装置
22  表示装置
31  CD／DVD-RW装置
32  CCD装置
33  遠距離通信装置
34  プリンター
35  蓄積装置
36  デジタルカメラ
37  ナビゲーションシステム
38  テレビチューナー
39  パソコンプラットフォーム
40  メモリモジュール
50  赤外線リモコン
100  多機能統合化マルチメディア再生装置
110  デジタル写真表示モジュール
120  映像再生モジュール
130  音声信号再生モジュール
140  画像／音声信号録画モジュール
150  ナビゲーションモジュール
160  テレビ受信モジュール
170  データ変換モジュール
210  メイン制御ユニット
220  表示モジュール
230  音声出力モジュール
240  内部蓄積モジュール
310  無線インタフェース
320  画像音声出入力インタフェース
330  データ通信インタフェース
340  外部蓄積インタフェース
350  リモコンインタフェース
【図１】
2005354509.tif 000003
【図２】
2005354509.tif 000004